(57)【要約】【課題】分電盤において、カバーとケースの嵌合状態を良好にする。【解決手段】この分電盤は、複数の分岐ブレーカ６を列設すると共に、主幹ブレーカ５を金具４を介して固定しブレーカユニットを構成する分岐ブレーカ取付板６と；リミッタ取付木板９と、主幹ブレーカ５を固定するための固定台１５と、分岐ブレーカ取付板６を取り付けるための固定台１１とを順に配置したケース１と；このケース１の固定台１１と分岐ブレーカ取付板６に設けられ、分岐ブレーカ取付板６を固定台１１に係止する係止手段（引掛爪８の引掛孔８ａと引掛突起１２）と；を具備する。【選択図】図１
2006136069.tif 000002
【特許請求の範囲】
【請求項１】
壁面または壁内から引込線を内部に引き込むための開口が設けられたベースと；
前記ベースの開口からベース内部に引き込まれた引込線を接続する一次側端子を有する主幹ブレーカと；
上部に複数の分岐ブレーカを着脱自在に取り付けると共に、側部に前記主幹ブレーカが設けられる分岐ブレーカ取付板と；
前記ベース内底部に設けられた主幹ブレーカ固定部と；
前記ベース内底部の前記主幹ブレーカ固定部側方に配置された分岐ブレーカ取付板固定部と；
前記分岐ブレーカ取付板の長手方向に沿った縁部と前記ベースの分岐ブレーカ取付板固定部の対応する縁部に設けられ、前記分岐ブレーカ取付板を前記分岐ブレーカ取付板固定部に係止する係止手段と；
を具備したことを特徴とする分電盤。
【請求項２】
前記ベース内底部の前記主幹ブレーカ固定部側方に、リミッタを固定するためのリミッタ取着部を有するリミッタ取付板を配置し、
前記分岐ブレーカ取付板固定部は、前記主幹ブレーカを前記リミッタ取付板のリミッタ取着部に取着したときに、前記分岐ブレーカ取付板の長手方向における主幹ブレーカと反対側の端部を取着可能な位置に分岐ブレーカ取付板取着部が形成されており、
前記リミッタを省略したとき、前記主幹ブレーカを前記リミッタ取付板に、前記分岐ブレーカ取付板を前記分岐ブレーカ取付板固定部の前記分岐ブレーカ取付板取着部に、それぞれ取着可能とする一方、
前記係止手段は、前記主幹ブレーカを、前記リミッタ取付板固定部または主幹ブレーカ固定部に固定した場合でも係止可能な構造としたことを特徴とする請求項１記載の分電盤。
【請求項３】
前記係止手段は、前記分岐ブレーカ取付板に形成された引掛部と前記分岐ブレーカ取付板固定部に突設された引掛突起とで構成されることを特徴とする請求項１または２いずれか記載の分電盤。
【請求項４】
前記引掛部には、
前記リミッタ取付板固定部と主幹ブレーカ固定部との間のピッチと複数の分岐ブレーカの列設ピッチとの相違を吸収する幅で前記引掛突起と係合する角孔が少なくとも１つ設けられていることを特徴とする請求項３記載の分電盤。
【発明の詳細な説明】
【技術分野】
【０００１】
本発明は、例えば住宅に家屋等で使用される分電盤に関する。
【背景技術】
【０００２】
例えば住宅用の分電盤は、宅内の壁面等に取り付けた合成樹脂製のベースに、主幹ブレーカと、リミッタ取付用の木板（以下、リミッタ取付木板という）と、分岐ブレーカを固定した金属製の分岐ブレーカ取付板とを、それぞれにネジ止めして取り付け、その上にカバーをかぶせ取り付ける構造とされている（例えば特許文献１参照）。なお、リミッタ取付木板に取り付けるリミッタについては、電力会社によって取り付ける場合と取り付けない場合がある。
【０００３】
分電盤は、上記のように、ベースに内蔵する主要部品としては、主幹ブレーカ、分岐ブレーカ取付板、リミッタ取付木板があり、リミッタ取付木板にリミッタを取り付けない場合には、そのスペースが空くため、空いたスペースに分岐ブレーカを多く取り付けることができる。
【特許文献１】特開２００３−２８４２１１号公報（図１０等）
【発明の開示】
【発明が解決しようとする課題】
【０００４】
ところで、主幹ブレーカの一次側の端子には、壁面からベース内に引き込んだ引込線をほぼ垂直方向に曲げて接続する。引込線は、太く硬い電線であることから、引き込み線の張力が主幹ブレーカに加わり、主幹ブレーカを含む分岐ブレーカ取付板全体が押し上げられる。これは、例えばベースの肉厚が薄肉であることと、ベースに引込線取込用の開口が形成されていること、及び分岐ブレーカ取付板が長手方向の端部のみで固定する構造であること、等に起因する。
この結果、分岐ブレーカ取付板が浮き、カバーとベースの係合状態が悪くなるという問題がある。
【０００５】
本発明はこのような課題を解決するためになされたもので、壁面等へ配設した際にカバーとベースとの嵌合状態を良好にすることのできる分電盤を提供することを目的としている。
【課題を解決するための手段】
【０００６】
上記した目的を達成するために、請求項１記載の分電盤は、壁面または壁内から引込線を内部に引き込むための開口が設けられたベースと；前記ベースの開口からベース内部に引き込まれた引込線を接続する一次側端子を有する主幹ブレーカと；上部に複数の分岐ブレーカを着脱自在に取り付けると共に、側部に前記主幹ブレーカが設けられる分岐ブレーカ取付板と；前記ベース内底部に設けられた主幹ブレーカ固定部と；前記ベース内底部の前記主幹ブレーカ固定部側方に配置された分岐ブレーカ取付板固定部と；前記分岐ブレーカ取付板の長手方向に沿った縁部と前記ベースの分岐ブレーカ取付板固定部の対応する縁部に設けられ、前記分岐ブレーカ取付板を前記分岐ブレーカ取付板固定部に係止する係止手段と；を具備したことを特徴とする。
【０００７】
請求項２記載の分電盤は、請求項１記載の分電盤において、前記ベース内底部の前記主幹ブレーカ固定部側方に、リミッタを固定するためのリミッタ取着部を有するリミッタ取付板を配置し、前記分岐ブレーカ取付板固定部は、前記主幹ブレーカを前記リミッタ取付板のリミッタ取着部に取着したときに、前記分岐ブレーカ取付板の長手方向における主幹ブレーカと反対側の端部を取着可能な位置に分岐ブレーカ取付板取着部が形成されており、前記リミッタを省略したとき、前記主幹ブレーカを前記リミッタ取付板に、前記分岐ブレーカ取付板を前記分岐ブレーカ取付板固定部の前記分岐ブレーカ取付板取着部に、それぞれ取着可能とする一方、前記係止手段は、前記主幹ブレーカを、前記リミッタ取付板固定部または主幹ブレーカ固定部に固定した場合でも係止可能な構造としたことを特徴とする。
【０００８】
請求項３記載の分電盤は、請求項１または２いずれか記載の分電盤において、前記係止手段は、前記分岐ブレーカ取付板に形成された引掛部と前記分岐ブレーカ取付板固定部に突設された引掛突起とで構成されることを特徴とする。
【０００９】
請求項４記載の分電盤は、請求項３載の分電盤において、前記引掛部には、前記リミッタ取付板固定部と主幹ブレーカ固定部との間のピッチと複数の分岐ブレーカの列設ピッチとの相違を吸収する幅で前記引掛突起と係合する角孔が少なくとも１つ設けられていることを特徴とする。
【００１０】
請求項１記載の発明では、ベースにブレーカユニットを取り付ける際に、数箇所で取着する以外に、分岐ブレーカ取付板の縁部と分岐ブレーカ取付板固定部の縁部とに設けた係止手段が、分岐ブレーカ取付板を分岐ブレーカ取付板固定部に係止する。
このように分岐ブレーカ取付板の長手方向に沿った縁部、つまり分岐ブレーカ取付板の中間部位において分岐ブレーカ取付板固定部との係止手段を設けることで、分岐ブレーカ取付板の長手方向に対する剛性が増し、ベースの歪みに対して分岐ブレーカ取付板が歪まなくなる。言い換えれば、ベースの歪みを抑制することで、分岐ブレーカ取付板も押し上げられなくなる。
【００１１】
請求項２記載の発明では、ベース内底部の主幹ブレーカ固定部側方に、リミッタを固定するためのビス挿通孔を有するリミッタ取付板を取り付けるためのリミッタ取付板固定部を配置し、分岐ブレーカ取付板固定部の、主幹ブレーカの取付金具をリミッタ取付板にビス止めしたときの分岐ブレーカ取付板のビス挿通孔の位置に第２のビス挿通孔を形成し、リミッタを省略したとき、主幹ブレーカをリミッタ取付板のビス挿通孔に、分岐ブレーカ取付板を分岐ブレーカ取付板固定部の第２のビス挿通孔に、それぞれビス止め可能とする一方、係止手段は、主幹ブレーカの取付金具を、リミッタ取付板固定部または主幹ブレーカ固定部に固定した場合でも係止可能な構造としたことで、リミッタを取り付ける場合と取り付けない場合で主幹ブレーカの取り付け位置が変わった場合でも分岐ブレーカ取付板を分岐ブレーカ取付板固定部に係止できる。
【００１２】
請求項３記載の発明では、係止手段を、分岐ブレーカ取付板に形成された引掛部と分岐ブレーカ取付板固定部に突設された引掛突起とで構成することで、分岐ブレーカ取付板をブレーカ取付板固定部にスライドさせて係止できる。
【００１３】
請求項４記載の発明では、リミッタ取付板固定部と主幹ブレーカ固定部との間のピッチと複数の分岐ブレーカの列設ピッチとの相違を吸収する幅で引掛突起と係合する角孔が少なくとも１つ設けたことで、主幹ブレーカの取り付け位置が変わった場合でも分岐ブレーカ取付板を分岐ブレーカ取付板固定部に係止できる。
【発明の効果】
【００１４】
以上説明したように本発明によれば、壁面等へ配設した際にカバーとベースとの嵌合状態を良好にすることができる分電盤を提供できる。
【発明を実施するための最良の形態】
【００１５】
以下、本発明の実施の形態を図面を参照して詳細に説明する。
図１は本発明に係る一つの実施形態の分電盤の構成を示す平面図、図２は図１の分電盤の斜視図、図３はこの分電盤の係止構造を示す図である。
【００１６】
図１、図２に示すように、この分電盤は、壁面に取れ付けられるボックス状のベースとしてのケース１と、このケース１に係合させて着脱自在に取り付けられるカバー２と、ケース１内に設けた固定部（リミッタ取付板としてのリミッタ取付木板９、主幹ブレーカ固定部としての固定台１５、分岐ブレーカ取付板固定部としての固定台１１）に取り付け、ビス等で固定される配電機器とから構成されている。
【００１７】
配電機器は、導電バー３、金具４、主幹回路遮断器である主幹ブレーカ５、分岐ブレーカ取付板６、分岐回路遮断器である複数の分岐ブレーカ７、電流制限器であるリミッタ９ａである。つまり、この分電盤は、リミッタ９ａを取り付ける必要があるものである。
【００１８】
リミッタ９ａには、ビス挿通用のビス挿通孔２９が形成されている。リミッタ９ａは、取り付けの際にビス２６等によりリミッタ取付木板９に固定される。ビス２６による固定は一例にしか過ぎず、この他、例えば外形を押さえる等、リミッタ取付木板９とリミッタ９ａとの嵌合構造で固定される場合もある。
【００１９】
主幹ブレーカ５の一次側の端子５ａには、開口１７ａ乃至開口１７ｄのうちのいずれかよりケース１内に引き込まれた引込線（図示せず）が壁面とほぼ平行になるように屈曲されて接続される。主幹ブレーカ５の二次側の端子５ｂは導電バー３に直結されている。主幹ブレーカ５の両側面には、ビス挿通孔２８を有する取付金具２７が突設されている。
分岐ブレーカ取付板６には、長手方向の隅部にビス挿通孔２２が設けられている。分岐ブレーカ取付板６の上には、少なくとも１つの分岐ブレーカ７が着脱自在に列設されている。つまり分岐ブレーカ取付板６は、上部に複数の分岐ブレーカ７を着脱自在に取り付けると共に、側部に主幹ブレーカ５を固定してブレーカユニットを構成したものである。この分岐ブレーカ取付板６に分岐ブレーカ７が列設される間隔は、例えば１８ｍｍピッチ等である。
分岐ブレーカ取付板６の長手方向側部には、主幹ブレーカ５が金具４によってビスで固定されている。また、主幹ブレーカ５と複数の分岐ブレーカ７とは金属製の導電バー３によって機械的に支持され、また電気的に接続されている。すなわち、複数の分岐ブレーカ７を取り付けた分岐ブレーカ取付板６と主幹ブレーカ５とは一体的なブレーカユニットを構成し、このユニット単位でケース１に取り付けられる。
【００２０】
ケース１は、合成樹脂製（プラスチック等の成型品）である。リミッタ取付木板９は、ケース１とは別個のスペーサであり、ケース底面に設けられたビス挿通孔１６ａにケース１の裏面よりビス（図示せず）で固定されている。リミッタ取付木板９には、リミッタ９ａに対応するビス挿通孔２９が形成されている。このビス挿通孔２９は、リミッタ９ａを固定するためのリミッタ取着部である。固定台１５には、主幹ブレーカ５の取付金具２７のビス挿通孔２８に対応するビス挿通孔１５ａが形成されている。固定台１５は、主幹ブレーカ５の側部に突設された取付金具２７のビス挿通孔２８でブレーカユニットの一端をビス止めし支持するためのものである。
【００２１】
固定台１５のビス挿通孔１５ａは、リミッタ取付木板９のビス挿通孔２９と孔の間隔を対応させて形成されている。リミッタ取付木板９よりも幅が狭い主幹ブレーカ５の側部に取付金具２７を突設し取り付け幅をビス挿通孔１５ａの間隔と合わせることで、主幹ブレーカ５を固定台１５またはリミッタ取付木板９のいずれかに取付可能としている。
【００２２】
固定台１１は、ケース１から立ち上げられた台座であり、下方に空間、つまり開口１７ｃ、１７ｄが設けられている。この他、ケース１には、開口１７ａ、１７ｂ等が設けられている。これらの開口１７ａ〜１７ｄは、引込線が引き出される壁面の位置に対応するためのものであり、壁面または壁内から引き出された引込線がいずれかの開口１７ａ〜１７ｄよりケース１内に引き込まれる。
【００２３】
固定台１１には、分岐ブレーカ取付板６のビス挿通孔２２に対応する幅のビス挿通孔１３、ビス挿通孔１４が形成されている。ビス挿通孔１３は第１のビス挿通孔であり、ビス挿通孔１４は第２のビス挿通孔である。固定台１１は、分岐ブレーカ取付板６に設けたビス挿通孔２２にてブレーカユニットの一端をビス止め支持するためのビス挿通孔１３，１４を有している。すなわち、固定台１１には、主幹ブレーカ５をリミッタ取付木板９のビス挿通孔２９に取着したときに、分岐ブレーカ取付板６の長手方向における主幹ブレーカ５と反対側の端部を取着可能な位置に分岐ブレーカ取付板取着部としてのビス挿通孔１４が形成されている。
【００２４】
ビス挿通孔１３は、ブレーカユニットの主幹ブレーカ５の取付金具２７が固定台１５に固定された位置に対応して固定台１１に形成されている。
【００２５】
ビス挿通孔１４は、ブレーカユニットの主幹ブレーカ５の取付金具２７がリミッタ取付木板９に固定された位置に対応して固定台１１に形成されている。これらの固定台１１、固定台１５およびリミッタ取付木板９は、それぞれケース１の底面に長手方向に沿って突き出る形で設けられている。
【００２６】
リミッタ９ａを取り付けることが不要な配電盤では、上記ブレーカユニットは、固定台１１のビス挿通孔１４とリミッタ取付木板９のビス挿通孔２９にそれぞれビス止めされる。リミッタ９ａを取り付けることが必要な配電盤では、上記ブレーカユニットは、固定台１１のビス挿通孔１３と固定台１５のビス挿通孔１５ａにそれぞれビス止めされる。
【００２７】
つまり、この分電盤は、リミッタ９ａを取り付けるときに、リミッタ９ａをリミッタ取付木板９に、主幹ブレーカ５を固定台１５に、分岐ブレーカ取付板６を固定台１１に、それぞれビス止めする一方、リミッタ９ａを省略したときには、主幹ブレーカ５をリミッタ取付木板９に、分岐ブレーカ取付板６を固定台１１に、それぞれビス止めし、ブレーカユニットを支持する構造とされている。
【００２８】
図３に示すように、分岐ブレーカ取付板６の長手方向に沿った縁部には、下方にほぼ直角に屈曲されてＬ字状とされた引掛爪８が設けられている。この引掛爪８には、複数の引掛孔８ａが所定間隔で設けられている。引掛孔８ａは矩形の角孔である。リミッタ９ａが有る場合と無い場合とで取り付けピッチが異なるため、角孔は、それを考慮し、位置がずらせるような幅で形成されている。
つまり、引掛爪８には、リミッタ取付板固定部である固定台１１と主幹ブレーカ固定部である固定台１５との間のピッチと複数の分岐ブレーカ７の列設ピッチとの相違を吸収する幅で各引掛突起１２と係合するよう引掛孔８ａが少なくとも１つ設けられている。
一方、固定台１１の端部には、分岐ブレーカ取付板６の面とほぼ平行に複数の引掛突起１２が所定間隔で突設されている。
【００２９】
この分電盤では、リミッタ９ａの有無の場合でもケース１を共用するため、リミッタ９ａの有無によって主幹ブレーカ５の取付位置を変えるが、リミッタ取付木板９と主幹ブレーカ５との固定部の間隔が、分岐ブレーカ７の列設方向（横方向）の間隔（列設ピッチ）の倍数に一致するとは必ずしも言えない。
【００３０】
そこで、リミッタ取付木板９と主幹ブレーカ５との固定部の間隔が分岐ブレーカ７の取付ピッチの倍数にならない場合を想定し、分岐ブレーカ取付板６の長手方向の縁部に設けた引掛爪８に形成する引掛孔８ａの大きさ（幅）を上記ピッチのずれをある程度許容できるように広げてある。これにより、リミッタ９ａの有無によって分岐ブレーカ取付板６の取付位置が異なった場合でも、ケース１の固定台１１の複数の引掛突起１２と、複数の引掛孔８ａそれぞれが嵌合するようになっている。
【００３１】
この例のリミッタ９ａが有る構成では、分岐ブレーカ取付板６は、ケース１の固定台１１に対して、向かって左の方向へ寄せて取り付けられ、ビス挿通孔２２と第３のビス挿通孔１３とでビス止めされるため、引掛突起１２は、引掛孔８ａの右縁の側に寄った状態になる。この場合、分岐ブレーカ取付板６には、例えば８個程度までの分岐ブレーカ７が取り付けられる。この例では、分岐ブレーカ取付板６に６個の分岐ブレーカ７が取り付けられている。
【００３２】
引掛突起１２と引掛孔８ａとは、分岐ブレーカ取付板６を固定台１１に取り付ける際に係合され、これらにより係止手段が構成され、ビス２１，２５による固定だけでなく、縁の部分（中央部）でも分岐ブレーカ取付板６への引き込み線の付勢力（張力）を抑止することができる。つまり、係止手段は、分岐ブレーカ取付板６の長手方向に沿った縁部とケース１の固定台１１の対応する縁部に設けられており、分岐ブレーカ取付板６を固定台１１に係止するものである。
【００３３】
すなわち、この分電盤は、ケース１内低部の固定台１５側方に、リミッタ９ａを固定するためのビス挿通孔２９を有するリミッタ取付木板９を配置し、固定台１１の、主幹ブレーカ５の取付金具２７をリミッタ取付木板９にビス止めしたときの分岐ブレーカ取付板６のビス挿通孔２２の位置に第２のビス挿通孔であるビス挿通孔１４を形成し、リミッタ９ａを省略したとき、主幹ブレーカ５をリミッタ取付木板９のビス挿通孔２９に、分岐ブレーカ取付板６を分岐ブレーカ取付板固定部のビス挿通孔１４に、それぞれビス止め可能とする一方、係止手段は、主幹ブレーカ５の取付金具２７を、リミッタ取付木板９または固定台１５に固定した場合でも係止可能な構造としたものである。
【００３４】
続いて、図４，図５を参照してリミッタ９ａを取り付ける必要のない場合の分電盤の構成（リミッタ無し構成）について説明する。
【００３５】
図４に示すように、このリミッタ無し構成の場合、ケース１は、上記実施の形態で使われたもの同じものであり、分岐ブレーカ７を搭載した分岐ブレーカ取付板６と主幹ブレーカ５とで構成されるブレーカユニットをケース１へ取り付け位置が異なる。
【００３６】
すなわち、この分電盤は、両側面にビス挿通孔２８を有する取付金具２７を突設させた主幹ブレーカ５と、隅部にビス挿通孔２２を有する分岐ブレーカ取付板６上に配設された複数の分岐ブレーカ７とを導電バー３により電気的に接続してなるブレーカユニットを、ビス挿通孔１６ａをベース１の底面に設けると共に、主幹ブレーカ５の取付金具２７のビス挿通孔２８に対応するビス挿通孔１５ａを形成した固定台１５及び分岐ブレーカ取付板６のビス挿通孔２２に対応するビス挿通孔１３、ビス挿通孔１４を形成した固定台１１をそれぞれケース１の底面に順に突設させて、固定台１１、１５とリミッタ取付木板９に、それぞれビス２１、２５で固定してなるものであるである。
【００３７】
リミッタ９ａ無し構成の分電盤では、図５に示すように、リミッタ９ａの空きスペースを利用する分、分岐ブレーカ取付板６は、ケース１の固定台１１に対して、向かって右の方向へ寄せて取り付けられ、ビス挿通孔２２とビス挿通孔１４とでビス止めされるので、引掛突起１２は、引掛孔８ａの左縁の側に寄った状態になり、固定台１１の端縁より、分岐ブレーカ取付板６の一端がはみ出した形となる。この場合、分岐ブレーカ取付板６には、例えば１２個程度までの分岐ブレーカ７が取り付けられる。この例では、分岐ブレーカ取付板６に８個の分岐ブレーカ７が取り付けられている。
【００３８】
このようにこの実施形態の分電盤によれば、分岐ブレーカ取付板６の長手方向に沿った縁部にＬ字状に設けた引掛爪８に複数の引掛孔８ａを所定間隔で設ける一方、固定台１１の端部に分岐ブレーカ取付板６の面とほぼ平行に引掛突起１２を突設させ、ブレーカユニットを取り付ける際に各引掛突起１２と引掛孔８ａとを係止する構造としたことで、リミッタ９ａの有無でケース１内の分岐ブレーカ取付板６の取り付け位置を変える構造をとる上で、ケース１に対する分岐ブレーカ取付板６の固定強度を向上することができる。
【００３９】
なお、本発明は上記実施形態のみに限定されるものではない。
上記実施形態では、分岐ブレーカ取付板６の長手方向に沿った縁部にＬ字上に設けた引掛爪８に複数の引掛孔８ａを所定間隔に設け、各引掛孔８ａに、固定台１１の端部に分岐ブレーカ取付板６の面とほぼ平行に突設した引掛突起１２を係止する構成としたが、この他、例えば分岐ブレーカ取付板６の長手方向の縁部にコの字状に設けた引掛爪８に、固定台１１の端部に分岐ブレーカ取付板６の面とほぼ平行にフランジ状に突設した引掛突起１２を嵌合させても良い。
【００４０】
また、上記実施形態では、固定台１１の片方の縁部に引掛突起１２を設けたが、他方の縁部にも係止手段を設けても良い。
この場合、図６に示すように、ケース１側の固定台１１の縁部を上方に向けて突出させた壁３１を設け、その壁３１の側面に引掛突起３２を出すようにする。
【００４１】
これにより、分岐ブレーカ取付板６とケース１側の固定台１１とは固定台１１の両縁で係止されるようになるので、固定台１１に対する分岐ブレーカ取付板６の固定強度をさらに向上することができる。
【００４２】
なお、本実施形態において、金属製の導電バー３とそれに対して垂直方向に取り付けられる複数の分岐ブレーカ７が設けられているブレーカユニットと係止手段との構成が組み合わせられることで、分岐ブレーカ取付板６全体の剛性が向上し、ケース１の歪むことを抑制している。
【図面の簡単な説明】
【００４３】
【図１】本発明の一つの実施形態の分電盤の構成を示す平面図。
【図２】図１の分電盤において、リミッタ有りの場合の斜視図。
【図３】図１の分電盤において、リミッタ有りの場合の係止手段を示す斜視図。
【図４】図１の分電盤において、リミッタ無しの場合の斜視図。
【図５】図１の分電盤において、リミッタ無しの場合の係止手段を示す斜視図。
【図６】図１の分電盤において、固定台の両縁に係止手段を設けた例を示す図。
【符号の説明】
【００４４】
１…ケース、２…カバー、３…導電バー、４…金具、５…主幹ブレーカ、６…分岐ブレーカ取付板、７…分岐ブレーカ、８…引掛爪８ａ…引掛孔、９…リミッタ取付木板、９ａ…リミッタ、１２…引掛突起、１３，１４，１５ａ，１６ａ，２２，２８，２９…ビス挿通孔、１１，１５…固定台、２６，２５…ビス、２７…取付金具、３１…壁、３２…引掛突起。
【図１】
2006136069.tif 000003
【図２】
2006136069.tif 000004
【図３】
2006136069.tif 000005
【図４】
2006136069.tif 000006
【図５】
2006136069.tif 000007
【図６】
2006136069.tif 000008